(57)【特許請求の範囲】
【請求項１】
複数の人の登録生体情報を記憶する登録生体情報記憶装置と、
認証対象の人の生体情報と、前記登録生体情報記憶装置に記憶されている複数の登録生体情報を照合して個人の認証を行う生体認証装置と、
監視領域内の人数を検出する検出手段と、
前記生体認証装置により認証された人の登録生体情報を記憶する優先照合情報記憶手段と、
前記検出手段により前記監視領域内の人数が変化したことが検出されて認証をやり直す場合に、前記優先照合情報記憶手段に記憶されている認証済みの人の前記登録生体情報との照合を優先して前記生体認証装置に行わせる照合対象選択手段とを備える入室管理装置。
【請求項２】
前記照合対象選択手段は、最初に認証を行うときには、前記登録生体情報記憶装置に記憶されている複数の登録生体情報を照合対象として選択し、認証をやり直す場合には、前記優先照合情報記憶手段に記憶されている認証済みの人の前記登録生体情報を照合対象として選択する請求項１記載の入室管理装置。
【請求項３】
前記検出手段により検出された前記監視領域内の検出人数と、前記生体認証装置により認証された認証人数が一致するか否かを判定し、人数が一致したとき入室を許可する手段を有する請求項１又は２記載の入室管理装置。
【請求項４】
前記検出手段は、前記監視領域内の人の位置を検出するセンサを有し、前記センサで検出される位置に基づいて前記監視領域内の人数を検出し、
前記検出手段により前記監視領域内の人数が減少したことが検出された場合には、前記照合対象選択手段は、前記優先照合情報記憶手段に記憶されている認証済みの前記登録生体情報を照合対象として選択する請求項１乃至３の何れか１項に記載の入室管理装置。
【請求項５】
生体認証装置により個人の認証を行う入室管理方法において、
認証対象の人の生体情報と、登録生体情報記憶装置に記憶されている複数の登録生体情報との照合を前記生体認証装置に行わせ、
監視領域内の人数を検出し、
前記生体認証装置により認証された人の登録生体情報を記憶し、
前記監視領域内の人数が変化して認証をやり直す場合に、記憶されている認証済みの人の前記登録生体情報との照合を優先して前記生体認証装置に行わせる入室管理方法。
【請求項６】
最初に認証を行うときには、前記登録生体情報記憶装置に記憶されている複数の登録生体情報を照合対象として選択し、検出人数が変化して認証をやり直す場合には、記憶している認証済みの人の前記登録生体情報を照合対象として選択して前記生体認証装置に認証を行わせる請求項５記載の入室管理方法。
【請求項７】
前記監視領域の検出人数と、前記生体認証装置により認証された認証人数が一致するか否かを判定し、人数が一致したとき入室を許可する請求項５又は６記載の入室管理方法。
【発明の詳細な説明】
【技術分野】
【０００１】
本発明は、入室管理装置及びその管理方法に関する。
【背景技術】
【０００２】
建物のフロア毎、あるいはフロア内の一定の区域の入室者を制限するために入室管理システムが用いられている。人の指紋、光彩、静脈等の生体情報を認証に用いる生体認証が上記の入室管理システムに用いられている。入室管理システムは、セキュリティと利便性の両方を求められる。セキュリティは認証精度の高さに依存し、利便性は認証処理の速さ、使い勝手などに依存する。
【０００３】
生体認証方法としては、最初にＩＤなど個人の識別番号を入力し、個人を特定してから予め登録されている生体情報との照合を行う１：１認証と、登録されている全生体情報との照合を行う１：Ｎ認証がある。
【０００４】
１：１認証は利用者が自分のＩＤを記憶しておく必要があることと、ＩＤの入力操作が必要なことから使い勝手が悪いという問題点がある。
利用者がＩＤカードを携帯し、ＩＤカードに記録されたＩＤ番号を読み取られせることで個人を特定する方法は、ＩＤカードを紛失すると認証が行えない等の問題点がある。
【０００５】
１：Ｎ認証は、ＩＤを入力する操作は不要であるが、登録済みの全生体情報との照合を行う必要があるので認証の処理時間が長くなるという問題点がある。
生体認証における処理時間は生体認証エンジンやハードウェアの処理能力に依存するが、照合対象の人数が増えるほど処理時間は長くなる。
【０００６】
上記の問題点を解決するために、例えば、利用者が無線ＩＤタグを所持し、認証装置が無線ＩＤタグからＩＤ番号を読み取り、事前に照合対象を絞り込む技術が知られている（例えば、特許文献１）。
【０００７】
また、個人認証により出入り口のゲートを開閉するゲート監視システムにおいて、ゲートを開いた際に、非認証者が一緒にゲートを通過してしまうという問題点を解決する方法として次ぎの方法が知られている。ゲートを通過する人数を計測し、認証者の人数以上の人がゲートを通過できないように監視する（例えば、特許文献２）。
【０００８】
また、イントラネットを介したクライアントとサーバ間の暗号鍵を用いたユーザ相互認証におけるサーバの処理負担を軽減するための技術として次ぎの方法が知られている。クライアントとサーバの最初の接続時に、認証用の乱数及び共通鍵情報を両者で取り決め、それらの乱数及び共通鍵情報を記憶しておき、２回目以降の接続時に、記憶してある乱数及び共通鍵を用いて認証行う（例えば、特許文献３）。
【先行技術文献】
【特許文献】
【０００９】
【特許文献１】特開２００７−６６１０７号公報
【特許文献２】特開２００８−５９１７９号公報
【特許文献３】特開平１１−３４０９６９号公報
【発明の概要】
【発明が解決しようとする課題】
【００１０】
入室管理装置において、認証に要する時間を短縮することを目的とする。
【課題を解決するための手段】
【００１１】
開示の入室管理装置は、生体認証装置により個人の認証を行う入室管理装置において、監視領域内の人数を検出する検出手段と、前記生体認証装置により認証された人の登録生体情報を記憶する優先照合情報記憶手段と、前記検出手段により検出された人数が変化して認証をやり直す場合に、前記優先照合情報記憶手段に記憶されている認証済みの人の前記登録生体情報との照合を優先して前記生体認証装置に行わせる照合対象選択手段とを備える。
【発明の効果】
【００１２】
開示の入室管理装置によれば、認証をやり直す場合の認証時間を短縮することができる。
【図面の簡単な説明】
【００１３】
【図１】実施の形態の入室管理装置の概要を示す図である。
【図２】入室管理装置の構成を示す図である。
【図３】入室管理システムの一例を示す図である。
【図４】利用者登録データベースのデータ構成を示す図である。
【図５】優先照合テーブルのデータ構成を示す図である。
【図６】優先照合テーブルへの登録処理のフローチャートである。
【図７】認証処理のフローチャートである。
【図８】ドア開閉制御処理のフローチャートである。
【図９】入室管理装置の動作説明図（１）である。
【図１０】入室管理装置の動作説明図（２）である。
【図１１】入室管理装置の動作説明図（３）である。
【図１２】入室管理装置の動作説明図（４）である。
【図１３】入室管理装置の動作説明図（５）である。
【発明を実施するための形態】
【００１４】
以下、好適な実施の形態について説明する。入室希望者が登録された本人か否かの認証を行う入室管理システムにおいては、登録された本人であることが認証されてドアが開いたときに、未認証の人が一緒に入室してしまうという問題点がある。
【００１５】
上記の問題を解決する方法として、一定の監視領域内に複数の人がいる場合には、監視領域内の全ての人の認証が完了しないとドアを開けないようにすることが考えられる。この方法は、監視領域内の人数が減って、監視領域内にいる人数と認証済みの人数が一致しても、残った人が認証済みの人か否かが分からないので、全員の認証をやり直す必要がある。
【００１６】
上記の方法を１：Ｎ認証を行う入室管理システムに適用した場合、次のような問題点が考えられる。監視領域内の人数が変化して認証をやり直す度に１：Ｎ認証を行う必要があるので全体の認証時間が長くなる。そこで、以下の実施の形態では、監視領域内の人数が変化して認証をやり直す場合に、認証が完了するまでの時間を短縮する技術について説明する。
【００１７】
図１は、実施の形態の入室管理装置（入退出管理装置）１１の概要を示す図である。入室管理装置１１は、人物位置検出装置１２と、生体認証装置１３と、照合対象選択部１４と、利用者登録データベース１５と、ドア開閉制御部１６とを有する。
【００１８】
人物位置検出装置１２は、人体を検出するセンサにより人の位置を検出し、監視領域内の人数を検出する。
生体認証装置１３は、指紋、光彩又は静脈等を検出する生体認証センサを有し、照合対象選択部１４により選択された登録生体情報と、生体認証センサで読み取った生体情報を照合して、認証対象者が登録された本人か否かを判定する。
【００１９】
利用者登録データベース１５には、入室が許可されている複数の人の登録生体情報が記憶されている。利用者登録データベース１５は、例えば、ハードディスク装置、不揮発性半導体メモリ等に格納される。利用者登録データベース１５は、例えば、登録生体情報記憶装置に対応する。
【００２０】
生体認証装置１３で認証済みの人数（認証人数）と、人物位置検出装置１２で検出される監視領域内の人数（検出人数）とが一致するか否かを判定する機能は、例えば、人物位置検出装置１２が有する。また、認証人数と検出人数が一致するか否かにより、ドア開閉制御部１６にドアの開閉を指示する機能は、人物位置検出装置１２が有する。これらの機能は、生体認証装置１３又は照合対象選択部１４が有しても良い。
【００２１】
照合対象選択部１４は、認証が行われとき、認証済みの人の登録生体情報をメモリ等の優先照合情報記憶部（例えば、図２の優先照合テーブル２８）に記憶する。照合対象選択部１４は、通常は、利用者登録データベース１５に登録されている複数の人の登録生体情報を選択して生体認証装置１３に出力する。照合対象選択部１４は、人物位置検出装置１２により監視領域内の人数が変化したことが検出され、認証をやり直す必要があるときには、認証済みの登録生体情報を生体認証装置１３に出力する。
【００２２】
ドア開閉制御部１６は、ドアの開閉指示に基づいてドアの開閉制御を行う。認証済みの人数と監視領域内の検出人数が一致する場合にはドアを開き入室を許可し、人数が不一致の場合にはドアを閉めた状態を維持する。
【００２３】
照合対象選択部１４とドア開閉制御部１６は、人物位置検出装置１２又は生体認証装置１３の機能の一部として実現しても良いし、別の装置であっても良い。
監視領域内の人数が変化した場合、認証済みの登録生体情報は監視領域内に残っている人の生体情報と一致する可能性が高い。上記の入室管理装置１１は、監視領域の人数が変化して認証をやり直す場合に、認証済みの登録生体情報との照合を優先して行うことで認証時間を大幅に短縮することができる。また、上記の入室管理装置１１は、監視領域内の人数と認証人数が一致しないと入室を許可しないので、未認証者が認証者と一緒に入室するのを防止でき、入室管理のセキュリティを高めることができる。
【００２４】
図１に示した入室管理装置１１の構成は一例であり、入室管理装置１１は人物位置検出装置１２、生体認証装置１３、照合対象選択部１４及び利用者登録データベース１５の全てを備える必要は無く、それらの一部の装置を有するだけでも良い。例えば、利用者登録データベース１５と生体認証装置１３を別の装置にして、入室管理装置１１が、人物位置検出装置１２と照合対象選択部１４とドア開閉制御部１６の機能を有するようにしても良い。
【００２５】
図２は、入室管理装置１１の構成の一例を示す図である。人物位置検出装置１２は、位置検出センサ２１と、人物位置検出部２２と、人物検出制御部２３とを有する。
位置検出センサ２１は、カメラ、赤外線センサ等の人間の位置を検出するセンサである。人物検出制御部２３は、位置検出センサ２１で検出されたデータ等の人物位置検出部２２への出力等の制御を行う。人物位置検出部２２は、位置検出センサ２１で検出される複数の人の位置と監視領域の座標から監視領域内にいる人数を検出する。
【００２６】
人物位置検出装置１２の構成は、図２に示すものに限らない。例えば、人物の位置を検出するためのセンサと、センサで検出された人物の位置が監視領域内か、監視領域外かを判定する機能を有すれば良い。
【００２７】
生体認証装置１３は、生体認証センサ２４と、生体情報抽出部２５と、生体認証照合部２６と、生体認証制御部２７とを有する。
生体認証センサ２４は、指紋、光彩、静脈等の生体の特徴を検出するセンサである。生体情報抽出部２５は、生体認証センサ２４で検出されるデータから生体の特徴を示す生体情報（指紋、光彩、静脈等の特徴データ）を抽出する。
【００２８】
生体認証照合部２６は、照合対象選択部１４により選択される登録生体情報と、生体認証センサ２４により読み取られる認証対象者の生体情報とを比較し、両者が一定以上の割合で一致する場合には、登録されている人と同一人物と判断する。
【００２９】
生体認証制御部２７は、生体認証センサ２４、生体情報抽出部２５及び生体認証照合部２６の各部に入出力するデータの制御等を行う。
生体認証装置１３において認証が成功し、認証済みの人数が人物位置検出装置１２で検出された人数より少ない場合には、照合に用いた登録生体データは優先照合テーブル２８に登録される。
【００３０】
照合対象選択部１４は、生体認証装置１３が認証を行う際の照合対象として利用者登録データベース１５又は優先照合テーブル２８を選択する。
照合対象選択部１４は、例えば、監視領域の検出人数が変化していない場合には、利用者登録データベース１５を照合対象として選択して生体認証装置１３に通知する。あるいは、照合対象選択部１４が利用者登録データベース１５に登録されている複数の登録生体情報を読み出して生体認証装置１３に出力する。
【００３１】
照合対象選択部１４は、人物位置検出装置１２から監視領域の検出人数が変化したことを示す情報を取得したときには、優先照合テーブル２８を照合対象として選択して生体認証装置１３に通知する。あるいは、照合対象選択部１４が、優先照合テーブル２８に登録されている登録生体情報を読み出して生体認証装置１３に出力する。
【００３２】
図３は、入室管理システムの一例を示す図である。図３において、図１及び図２と同じ部材には、同じ符号を付けてそれらの説明を省略する。
この入室管理システムは、天井に設置された複数のカメラ３１により監視領域内の人の出入を監視するものである。カメラ３１は、例えば、図２の位置検出センサ２１に対応する。
【００３３】
処理装置３２は、ＣＰＵ等を有する本体３２ａと表示装置３２ｂとキーボード３２ｃを有する。処理装置３２は、図２の人物位置検出装置１２、照合対象選択部１４に対応する。優先照合テーブル２８は、処理装置３２のメモリ等に格納され、利用者登録データベース１５は、処理装置３２の内部又は外部の記憶装置（例えば、ハードディスク）に格納されている。処理装置３２は、例えば、パーソナルコンピュータ等で実現できる。
【００３４】
処理装置３２は、複数のカメラ３１で撮影された人物の画像を取得して監視領域内にいる人の位置を特定して人数を検出する。
図３の例では、Ａさんが認証済みで、Ｂさんが未認証であるので、Ａの登録生体情報のみが優先照合テーブル２８に登録されている。Ａさんの認証が成功した時点では、認証人数は「１」、監視領域の検出人数は「２」となり、両者は一致しないのでドア３３は閉じられたままとなる。
【００３５】
その後、Ｂさんが監視領域の外に出ると、処理装置３２は、監視領域内の人数が減少したことを検出し、検出人数を「１」に変更し、同時に認証人数を「０」にリセットする。さらに、認証のやり直しを生体認証装置１３に指示する。
【００３６】
監視領域に残ったＡさんが認証をやり直す場合に、処理装置３２は、優先照合テーブル２８に登録されている登録生体情報を照合対象として選択して生体認証装置１３に出力する。生体認証装置１３は、認証対象者から読み取った生体情報と、優先照合テーブル２８に登録されている登録生体情報（Ａさんの登録生体情報）との照合を行う。生体認証装置１３における照合で生体情報が一致した場合には、処理装置３２は、認証人数を「１」に変更する。この結果、認証人数が「１」、検出人数が「１」となり、両者が一致するのでは、処理装置３２は、ドア開閉制御部１６にドア３３の開錠を指示する。
【００３７】
上記の入室管理システムは、監視領域内の人数が変化して、認証をやり直す場合に、認証対象者の生体情報と認証済みの登録生体情報を優先して照合する。これにより、監視領域に残った人が認証済みの人の場合には、認証時間を大幅に短縮することができる。
【００３８】
さらに、上記の入室管理システムでは、監視領域で検出される人数と認証済みの人の人数が一致しないと入室できないので、未認証者が認証済みの人と一緒に入室するのを防止することができ、入室管理のセキュリティを高めることができる。
【００３９】
なお、監視領域内の人の位置をリアルタイムで検出することで監視領域への人の出入りを正確に監視することができる。これにより、例えば、監視領域から１人が出て、別の人が監視領域に入り、検出人数が結果として同じになる場合でも、監視領域への人の出入りがあったことを検出することができる。その場合、認証をやり直すようにすることでセキュリティを高めることができる。そして、認証をやり直す場合に、優先照合テーブル２８に登録されている認証済みの登録生体情報を優先的に照合することで、認証時間を大幅に短縮することができる。
【００４０】
図４は、利用者登録データベース１５のデータ構成の一例を示す図である。利用者登録データベース１５は、複数の利用者のＩＤ番号を記憶する記憶領域１５ａと、利用者名を記憶する記憶領域１５ｂと、登録生体情報を記憶する記憶領域１５ｃを有し、これらの領域が対応づけられている。なお、利用者登録データベース１５のデータ構成は、図４に示したのに限らない。
【００４１】
図５は、優先照合テーブル２８のデータ構成の一例を示す図である。優先照合テーブル２８は、利用者のＩＤ番号を記憶する記憶領域２８ａと、利用者名を記憶する記憶領域２８ｂと、認証済みの人の登録生体情報を記憶する記憶領域２８ｃとを有する。さらに、認証時刻を記憶する記憶領域２８ｄと、入室状況を示すデータを記憶する記憶領域２８ｅとを有する。ＩＤ番号、利用者氏名、生体情報等はそれぞれ対応付けて記憶されている。入室状況を示すデータは、認証済みの人が入室したか否かを示すデータであり、例えば、入室済みとなった人の生体情報等は優先照合テーブル２８から削除する。
【００４２】
優先照合テーブル２８のデータ構成は、図５に示したものに限らない。優先照合テーブル２８には、上記のデータを全て登録する必要は無く、一部のデータを登録するだけでも良い。例えば、利用者を特定せずに生体情報の照合を行う場合には、認証済みの人の登録生体情報のみを優先照合テーブル２８に登録しても良い。
【００４３】
次に、以上のような構成の入室管理装置１１の動作を、図６〜図８のフローチャートを参照して説明する。以下の処理は、生体認証装置１３、人物位置検出装置１２又は処理装置３２のＣＰＵ等により実行される。また、初期データ、処理途中のデータ等はそれぞれの装置のメモリ等の記憶部に格納される。
【００４４】
図６は、優先照合テーブル２８への登録処理のフローチャートである。センサで監視領域内の人を検出して人数をカウントする（Ｓ１１）。ステップＳ１１の処理は、例えば、複数のカメラ３１で監視領域を撮影し、画像認識により監視領域内にいる人の位置を特定し、人数をカウントする。
【００４５】
次に、認証装置（生体認証装置）で認証対象者の認証を行う（Ｓ１２）。次に、認証が成功したか否かを判定する（Ｓ１３）。ステップＳ１３の処理では、例えば、認証対象者の生体情報と、利用者登録データベース１５に登録されている登録生体情報との１：Ｎ認証を行う。認証が失敗した場合には（Ｓ１３、ＮＯ）、ステップＳ１２に戻り、再度認証を行う。
【００４６】
認証が成功した場合には（Ｓ１３、ＹＥＳ）、ステップＳ１４に進み、認証済みの人数と、監視領域内の検出人数が一致するか否かを判定する。
認証済みの人数と検出人数が不一致の場合には（Ｓ１４、ＮＯ）、ステップＳ１５に進み、認証済みの登録生体情報を優先照合テーブル２８に登録する。
【００４７】
認証済みの人数と検出人数が一致した場合には（Ｓ１４、ＹＥＳ）、ステップＳ１６に進み、優先照合テーブル２８を初期化する。ステップＳ２８において優先照合テーブル２８を初期化しているのは、認証人数と検出人数が一致した場合には入室を許可するので、優先照合テーブル２８に登録されているデータは不要となるからである。
【００４８】
図７は、認証処理のフローチャートである。最初に、センサにより監視領域内の人を検出して人数をカウントする（Ｓ２１）。次に、検出人数が前回の検出人数より減少したか否かを判定する（Ｓ２２）。
【００４９】
検出人数が減少していないときには（Ｓ２２、ＮＯ）、ステップＳ２１に戻り監視領域内の人数のカウントを繰り返す。
検出人数が減少した場合には（Ｓ２２、ＹＥＳ）、ステップＳ２３に進み、検出人数が０になったか否かを判定する。
【００５０】
監視領域の検出人数が０でない場合には（Ｓ２３、ＮＯ）、ステップＳ２４に進み、照合対象として優先照合テーブル２８を選択する。このステップＳ２４の処理により、例えば、優先照合テーブル２８に登録されている認証済みの登録生体情報が生体認証装置１３に出力される。生体認証装置１３は、優先照合テーブル２８に登録されている登録生体情報と認証対象者の生体情報の照合を行う。
【００５１】
次に、認証が成功したか否かを判定する（Ｓ２５）。認証が成功した場合には（Ｓ２５、ＹＥＳ）、ステップＳ２６に進み、認証人数カウント処理を実行する。このステップＳ２６の処理では、例えば、認証済みの人数に「１」を加算する。
【００５２】
ステップＳ２５において、優先照合テーブル２８に登録されている全ての登録生体情報を照合対象とする認証が失敗した場合には（Ｓ２５、ＮＯ）、ステップＳ２７に進む。ステップＳ２７において、優先照合テーブル２８に登録されているＩＤで指定されるデータ（登録生体情報）を除いた利用者登録データベース１５のデータ（登録生体情報）を照合対象として選択する。
【００５３】
上記のステップＳ２７の処理により、例えば、生体認証装置１３は、認証対象者の生体情報と、利用者登録データベース１５の複数の登録生体情報の中で優先照合テーブル２８に登録されていない登録生体情報との１：Ｎの認証を行う。
【００５４】
次に、認証が成功したか否かを判定する（Ｓ２８）。認証が成功した場合には（Ｓ２８、ＹＥＳ）、ステップＳ２６に進み、上述した認証人数カウント処理を実行する。ステップＳ２８において、認証失敗と判定された場合には（Ｓ２８、ＮＯ）、ステップＳ２１に戻り上述した処理を繰り返す。
【００５５】
また、ステップＳ２３において、検出人数が０と判定された場合には（Ｓ２３、ＹＥＳ）、ステップＳ２９に進み、優先照合テーブル２８を初期化する。ステップＳ２９において優先照合テーブル２８を初期化しているのは、検出人数が０となったときには、優先照合テーブル２８の認証済みの人の登録生体情報は不要となるからである。
【００５６】
上述した処理によれば、監視領域内の一部の人の認証が終了した後、監視領域の人数が変化して認証をやり直す場合に、優先照合テーブル２８に登録されている登録生体情報との照合を優先して行うことで、認証が終了するまでの時間を短縮することができる。
【００５７】
図８は、ドア開閉制御処理のフローチャートである。以下の処理は、例えば、処理装置３２のＣＰＵにより実行される。
センサ（例えば、カメラ）で検出された人数をカウントする（Ｓ３１）。認証が成功した人数をカウントする（Ｓ３２）。ステップＳ３２の処理は、例えば、処理装置３２が生体認証装置１３において認証が成功した人数をカウントする。
【００５８】
次に、認証人数と監視領域内の検出人数が一致するか否かを判定する（Ｓ３３）。認証人数と検出人数が一致した場合には（Ｓ３３、ＹＥＳ）、ステップＳ３４に進み、ドア開閉制御部１６にドア３３の開錠を指示する。
【００５９】
認証人数と検出人数が一致しない場合には（Ｓ３３、ＮＯ）、ステップＳ３５に進み、ドア３３の開錠を行わない。
ステップＳ３４又はＳ３５の次には、ステップＳ３６において、認証人数を０にリセットする。
【００６０】
次に、上述した入室管理装置１１の動作を、図９〜図１３の動作説明図（１）〜（５）を参照して説明する。
図９（Ａ）−（Ｄ）は、入室管理装置１１の動作説明図（１）である。図９（Ａ）は、監視領域内に誰もいないときの状態を示している。この場合、検出人数は「０」となり、認証人数も「０」となる。図９（Ａ）の点線で囲まれた領域が監視領域である。
【００６１】
図９（Ｂ）は、利用者Ａと利用者Ｂが監視領域内に入ったときの状態を示している。この時点では利用者は認証を行っていないので、認証人数は「０」、検出人数は「２」となる。
【００６２】
図９（Ｃ）は、利用者Ａが認証を行って認証が成功したときの状態を示している。
利用者Ａの認証を行う際に、処理装置３２により照合対象として選択されるデータは、利用者登録データベース１５に登録されている全登録生体情報である。利用者Ａの認証が成功すると認証人数が「１」に変更される。この場合、検出人数は「２」で認証人数と一致しないので、利用者Ａの登録生体情報が優先照合テーブル２８に登録される。
【００６３】
図９（Ｄ）は、未認証の利用者Ｂが監視領域の外に出たときの状態を示している。
利用者Ｂが監視領域の外に出る前に状態では、利用者Ａが認証済みとなっている。下が手、この場合、照合対象として優先照合テーブル２８の利用者Ａの登録生体情報が選択されている。
【００６４】
利用者Ｂが監視領域外に出たことが処理装置３２（又は人物位置検出装置１２）により検出されると、処理装置３２は、認証人数を「０」にクリアし、生体認証装置１３に認証のやり直しを指示する。このとき、認証人数は「０」、検出人数は「１」となる。
【００６５】
認証をやり直す場合には、処理装置３２は、認証対象として優先照合テーブル２８を選択し、優先照合テーブル２８に登録されている利用者Ａの登録生体情報を生体認証装置１３に出力する。生体認証装置１３は、利用者Ａから読み取った生体情報と、処理装置３２から取得した登録生体情報とを照合して認証を行う。
【００６６】
生体情報が一致した場合には、生体認証装置１３は、利用者Ａの認証が成功したことを処理装置３２に通知する。処理装置３２は、認証人数を「０」から「１」に変更し、認証人数と検出人数が一致するか否かを判定する。人数が一致した場合には、ドア開閉制御部１６にドア３３の開錠を指示する。この結果、利用者Ａは部屋に入室することができる。
【００６７】
図１０（Ａ）−（Ｄ）は、入室管理装置１１の動作説明図（２）である。
図１０（Ａ）は、監視領域内に誰もいないときの状態を示している。この場合、検出人数は「０」、認証人数は「０」となる。
【００６８】
図１０（Ｂ）は、利用者Ａと利用者Ｂが監視領域内に入ったときの状態を示している。この時点では利用者は認証を行っていないので、認証人数は「０」、検出人数は「２」となる。また、認証人数が「０」であるので、処理装置３２は、照合対象としては利用者登録データベース１５を選択する。
【００６９】
図１０（Ｃ）は、その後、利用者Ａの認証が成功したときの状態を示している。
最初に利用者Ａの認証を行うときには、照合対象は利用者登録データベース１５に登録されていると登録者全員の登録生体情報となる。
【００７０】
利用者Ａの認証が成功したことが生体認証装置１３から通知されると、処理装置３２は認証人数を「１」に変更する。この場合、検出人数は「２」、認証人数は「１」で両者は一致しないので、ドア３３は開錠されず、認証済みの利用者Ａの登録生体情報がＩＤ番号と共に優先照合テーブル２８に登録される。
【００７１】
図１０（Ｄ）は、優先照合テーブル２８に認証済みの登録生体情報が登録された後に、認証済みの利用者Ａが監視領域の外に出たときの状態を示している。このとき、優先照合テーブル２８には、利用者ＡのＩＤ番号と、利用者Ａの登録生体情報が登録されている。
【００７２】
処理装置３２は、監視領域内の人数が２人から１人に変化したことを検出すると、検出人数を「１」に変更し、認証人数を「０」にリセットして認証のやり直しを生体認証装置１３に指示する。
【００７３】
図１０（Ｅ）は、利用者Ｂの認証が失敗したときの状態を示している。
優先照合テーブル２８には利用者Ａの生体情報が登録されているので、利用者Ｂの認証を行う際には、最初に、優先照合テーブル２８のデータが照合対象として選択される。
【００７４】
生体認証装置１３は、利用者Ｂの生体情報と優先照合テーブル２８に登録されている登録生体情報とを照合する。この場合、優先照合テーブル２８には、利用者Ａの登録生体情報が登録されているので照合の結果は不一致となる。
【００７５】
利用者Ｂの認証が失敗した場合には、処理装置３２は照合対象として利用者登録データベース１５のデータを選択する。生体認証装置１３は、利用者Ｂの生体情報と、利用者登録データベース１５の利用者Ａのデータを除いた他の登録生体情報との１：Ｎ照合を行う。照合の結果、一致する生体情報が存在しないときには認証失敗と判断する。このときの認証人数は「０」、検出人数は「１」となり、人数が不一致となるのでドア３３は閉じられたままとなる。
【００７６】
図１１（Ａ）−（Ｄ）は、入室管理装置の動作説明図（３）である。
図１１（Ａ）は、監視領域内に誰もいないときの状態を示している。図１１（Ｂ）は、利用者Ａと利用者Ｂが監視領域内に入ったときの状態を示している。処理装置３２（又は人物位置検出装置１２）は利用者Ａと利用者Ｂの位置を検出し、検出人数を「２」に設定する。このとき認証はまだ行われていないので、認証人数は「０」となる。この場合、優先照合テーブル２８にはデータが登録されていないので、照合対象として利用者登録データベース１５の全データが選択される。
【００７７】
図１１（Ｃ）は、利用者Ａの認証が失敗したときの状態を示している。
生体認証装置１３は、利用者Ａから取得した生体情報と、利用者登録データベース１５に登録されている全登録生体情報との１：Ｎの照合を行う。一致する生体情報が存在せず、認証が失敗した場合には、認証人数は「０」、検出人数「２」のままとなる。
【００７８】
図１１（Ｄ）は、未認証の利用者Ｂが監視領域の外に出たときの状態を示している。利用者Ｂが監視領域の外に出ると、処理装置３２（又は人物位置検出装置１２）は、監視領域内の人数が２人から１人に減少したことを検出すると、検出人数を「２」から「１」に変更する。認証人数は「０」のままである。従って、ドア３３は閉じられたままとなる。
【００７９】
利用者Ａが認証を行う際には、優先照合テーブル２８にはデータが何も登録されていないので、照合対象として利用者登録データベース１５の全データが選択される。
【００８０】
図１２（Ａ）−（Ｄ）は、入室管理装置の動作説明図（４）である。
図１２（Ａ）は、監視領域内に誰もいないときの状態を示している。図１２（Ｂ）は、利用者Ａと利用者Ｂが監視領域内に入ったときの状態を示している。処理装置３２は、利用者Ａと利用者Ｂの位置を検出し、検出人数として「２」を設定する。この時点では、認証はまだ行われていないので認証人数は「０」となる。
【００８１】
図１２（Ｃ）は、利用者Ａの認証が成功したときの状態を示している。
利用者Ａの認証を行う際、照合対象として利用者登録データベース１５の全データが選択される。利用者Ａの認証が成功すると、処理装置３２は、優先照合テーブル２８に利用者Ａの生体情報を登録し、認証人数を「１」に変更する。検出人数は「２」で変化しない。従って、認証人数と検出人数が不一致となるのでドア３３は閉じられたままとなる。
【００８２】
図１２（Ｄ）は、利用者Ａと利用者Ｂが監視領域の外に出た場合の状態を示している。処理装置３２は、監視領域内に人がいないことを検出すると、検出人数を「０」に変更する。また、検出人数が０となったので認証人数を「０」に変更する。
【００８３】
図１３（Ａ）〜（Ｄ）は、入室管理装置１１の動作説明図（５）である。
図１３（Ａ）は、監視領域内に誰も存在しないときの状態を示している。図１３（Ｂ）は、利用者Ａと利用者Ｂが監視領域内に入ったときの状態を示している。処理装置３２は、監視領域内に利用者が２人いることを検出すると、検出人数を「２」に変更する。このとき認証済みの人は存在しないので、認証人数は「０」となる。
【００８４】
図１３（Ｃ）は、利用者Ａと利用者Ｂの認証が成功した場合の状態を示している。最初に、利用者Ａの認証を行うときには、照合対象として利用者登録データベース１５の全データが選択され１：Ｎの照合が行われる。利用者Ａの認証が成功すると、利用者Ａの登録生体状態が優先照合テーブル２８に登録される。
【００８５】
利用者Ｂの認証を行う場合、監視領域の検出人数が変化しているか否かにより照合対象を切り替える。検出人数が変化している（検出人数が減少している）場合には、優先照合テーブル２８を照合対象として選択する。検出人数が変化していない場合には、利用者登録データベース１５を照合対象として選択する。
【００８６】
図１３（Ｃ）の例では、検出人数が変化していないので、処理装置３２により、利用者登録データベース１５の全データが照合対象として選択される。生体認証装置１３は、利用者Ｂの生体情報と、利用者登録データベース１５の全データとの１：Ｎの照合を行う。照合の結果、一致する生体情報が存在する場合には、利用者Ｂの認証が成功となる。
【００８７】
処理装置３２は、利用者Ａと利用者Ｂの認証が成功したことが通知されたなら、認証人数を「２」に変更する。このとき検出人数は「２」であり、認証人数と検出人数が一致するので、処理装置３２はドア３３を開くように指示する。
【００８８】
図１３（Ｄ）は、ドア３３が開錠されて利用者Ａと利用者Ｂが部屋に入ったときの状態を示している。処理装置３２は、監視領域内に人がいないことを検出すると、検出人数を「０」に変更し、認証人数を「０」に変更する。認証人数が「０」になったことで、優先照合テーブル２８の登録データをクリアする。優先照合テーブル２８のデータをクリアしたことにより、図１３（Ｄ）に示すように照合対象のデータは、利用者登録データベース１５の全データとなる。
【００８９】
上述した実施の形態によれば、監視領域内の検出人数が変化して認証をやり直す場合に、優先照合テーブル２８に登録されている認証済みの人の登録生体情報との照合を優先して行うことで、認証に要する時間を短縮することができる。また、監視領域内の検出人数と認識済みの人の人数が一致しないとドア３３が開錠されないので、未認証者が認証済みの人と一緒に入室するのを防止できる。
【００９０】
上述した実施の形態は、監視領域内の人数を検出するセンサとしてカメラ３１を用いているがこれに限らない。人物の位置等を検出して人数を検出できるセンサであればどのようなものでも良い。例えば、赤外線センサ、超音波センサ、レーダ等を用いても良い。
【００９１】
（付記１）
生体認証装置により個人の認証を行う入室管理装置において、
監視領域内の人数を検出する検出手段と、
前記生体認証装置により認証された人の登録生体情報を記憶する優先照合情報記憶手段と、
前記検出手段による検出人数が変化して認証をやり直す場合に、前記優先照合情報記憶手段に記憶されている認証済みの人の前記登録生体情報との照合を優先して前記生体認証装置に行わせる照合対象選択手段とを備える入室管理装置。
（付記２）
前記照合対象選択手段は、最初に認証を行うときには、登録生体情報記憶装置に登録されている複数の登録生体情報を照合対象として選択し、前記検出手段による検出人数が変化して認証をやり直す場合には、前記優先照合情報記憶手段に記憶されている認証済みの人の前記登録生体情報を照合対象として選択する付記１記載の入室管理装置。
（付記３）
前記検出手段により検出される前記監視領域内の検出人数と、前記生体認証装置により認証される認証人数が一致するか否かを判定し、人数が一致したとき入室を許可する手段を有する付記１又は２記載の入室管理装置。
（付記４）
前記検出手段は、前記監視領域内の人の位置を検出するセンサを有し、前記センサで検出される位置に基づいて前記監視領域内の人数を検出し、
前記検出手段により前記監視領域内の人数が減少したことが検出された場合には、前記照合対象手段は、前記優先照合情報記憶手段に記憶されている認証済みの前記登録生体情報を照合対象として選択する付記１、２又は３記載の入室管理装置。
（付記５）
前記優先照合情報記憶手段は、認証済みの人のＩＤコードと前記登録生体情報を対応付けて記憶する付記１乃至４の何れか１つに記載の入室管理装置。
（付記６）
複数の人の登録生体情報を記憶する登録生体情報記憶装置と、
認証対象の人の生体情報と、前記登録生体情報記憶装置に記憶されている複数の登録生体情報を照合して個人の認証を行う生体認証装置と、
監視領域内の人数を検出する検出手段と、
前記生体認証装置により認証された人の登録生体情報を記憶する優先照合情報記憶手段と、
前記検出手段により前記監視領域内の人数が変化したことが検出されて認証をやり直す場合に、前記優先照合情報記憶手段に記憶されている認証済みの人の前記登録生体情報との照合を優先して前記生体認証装置に行わせる照合対象選択手段とを備える入室管理装置。
（付記７）
前記照合対象選択手段は、最初に認証を行うときには、前記登録生体情報記憶装置に記憶されている複数の登録生体情報を照合対象として選択し、認証をやり直す場合には、前記優先照合情報記憶手段に記憶されている認証済みの人の前記登録生体情報を照合対象として選択する付記６記載の入室管理装置。
（付記８）
前記検出手段により検出される前記監視領域内の検出人数と、前記生体認証装置により認証される認証人数が一致するか否かを判定し、人数が一致したとき入室を許可する手段を有する付記６又は７記載の入室管理装置。
（付記９）
生体認証装置により個人の認証を行う入室管理方法において、
監視領域内の人数を検出し、
前記生体認証装置により認証された人の登録生体情報を記憶し、
前記監視領域内の人数が変化して認証をやり直す場合に、記憶されている認証済みの人の前記登録生体情報との照合を優先して前記生体認証装置に行わせる入室管理方法。
（付記１０）
最初に認証を行うときには、登録生体情報記憶装置に登録されている複数の登録生体情報を照合対象として選択し、検出人数が変化して認証をやり直す場合には、記憶している認証済みの人の前記登録生体情報を照合対象として選択して前記生体認証装置に認証を行わせる付記９記載の入室管理方法。
（付記１１）
前記監視領域の検出人数と、前記生体認証装置により認証された認証人数が一致するか否かを判定し、人数が一致したとき入室を許可する付記９又は１０記載の入室管理方法。
（付記１２）
前記監視領域内の人の位置をセンサで検出し、前記センサで検出される位置に基づいて前記監視領域内にいる人数を検出し、
前記監視領域内の人数が減少したことが検出された場合には、認証済みの前記登録生体情報との照合を優先して前記生体認証装置に行わせる付記９、１０又は１１記載の入室管理方法。
（付記１３）
認証済みの人のＩＤコードと前記登録生体情報を対応付けて記憶する付記８乃至１１の何れか１つに記載の入室管理方法。
【符号の説明】
【００９２】
１１      入室管理装置
１２      人物位置検出装置
１３      生体認証装置
１４      照合対象選択部
１５      利用者登録データベース
１６      ドア開閉制御部
２１      位置検出センサ
２２      人物位置検出部
２３      人物検出制御部
２４      生体認証センサ
２５      生体情報抽出部
２６      生体認証照合部
２７      生体認証制御部
２８      優先照合テーブル
３１      カメラ
３２      処理装置
３３      ドア
【図１】
0005440121.tif 000002
【図２】
0005440121.tif 000003
【図３】
0005440121.tif 000004
【図４】
0005440121.tif 000005
【図５】
0005440121.tif 000006
【図６】
0005440121.tif 000007
【図７】
0005440121.tif 000008
【図８】
0005440121.tif 000009
【図９】
0005440121.tif 000010
【図１０】
0005440121.tif 000011
【図１１】
0005440121.tif 000012
【図１２】
0005440121.tif 000013
【図１３】
0005440121.tif 000014